(57)【要約】【課題】簡単な回路構成の拡散信号多重処理方法および拡散信号多重処理装置を実現すること。【解決手段】拡散符号で拡散された互いに直交するI信号とＱ信号よりなる複数チャネルの拡散信号を所定のゲイン毎にグループ化して加算した後、所定の重みやゲインを有する信号に変換することを特徴とする拡散信号多重処理方法および拡散信号多重処理装置。【選択図】        図１
2004194053.tif 000002
【特許請求の範囲】
【請求項１】
拡散符号で拡散された互いに直交するI信号とＱ信号よりなる複数チャネルの拡散信号を所定のゲイン毎にグループ化して加算した後、所定の重みやゲインを有する信号に変換することを特徴とする拡散信号多重処理方法。
【請求項２】
拡散符号で拡散された互いに直交するI信号とＱ信号よりなる複数チャネルの拡散信号をチャネル毎に選択的にON/OFFするON/OFF制御部と、
これらON/OFF制御部の全チャネルのI信号とＱ信号のそれぞれの信号系統について所定のゲイン毎に加算多重化する部分多重処理部と、
これら部分多重処理部の出力信号に所定の重みづけを行うマッピング部と、
これらマッピング部の出力信号に所定の実効値補正処理を行う実効値補正部と、
これら実効値補正部の出力信号をI信号とＱ信号のそれぞれの信号系統毎に加算多重化する多重処理部、
とで構成されたことを特徴とする拡散信号多重処理装置。
【請求項３】
前記拡散信号は、２値化されたものであることを特徴とする請求項２記載の拡散信号多重処理装置。
【請求項４】
前記実効値補正部は、ON/OFFチャネル数に応じて波形歪を生じない適切な実効値に補正することを特徴とする請求項２または請求項３記載の拡散信号多重処理装置。
【請求項５】
前記部分多重処理部の加算結果に基づき、マッピング部と実効値補正部の出力を予め演算してテーブル化したことを特徴とする請求項２記載の拡散信号多重処理装置。
【請求項６】
前記部分多重処理部の加算結果に基づき、マッピング部と実効値補正部および多重処理部の出力を予め演算してテーブル化したことを特徴とする請求項２記載の拡散信号多重処理装置。
【請求項７】
前記拡散信号は、モバイル放送の信号であることを特徴とする請求項２から請求項６のいずれかに記載の拡散信号多重処理装置。
【発明の詳細な説明】
【０００１】
【発明の属する技術分野】
本発明は拡散信号多重処理方法および拡散信号多重処理装置に関し、詳しくは、ＣＤＭＡ（Code  Devision  Multiple  Access；符号分割多重アクセス）方式を用いた移動体通信システムにおける拡散信号多重処理方法および拡散信号多重処理装置の改良に関するものである。
【０００２】
【従来の技術】
ＣＤＭＡ方式を用いた移動体通信システムの一種に、モバイル（移動体）放送がある。これは、通信衛星から自動車や携帯端末などのモバイル機器にテレビ番組や音楽、データ放送などを配信するデジタル衛星放送サービスであり、例えば高速走行中の乗り物であっても、パラボラアンテナで電波を追尾することなくモバイル機器に搭載された小さなアンテナで受信できることを目指している。
【０００３】
このようなモバイル放送における課題の一つは、高層ビルの谷間やトンネルや急斜面に添った道路などにおける電波のとぎれである。この対策として、電波がとぎれる可能性のある地域を事前に調べ、ビル屋上などへ「ギャップ・フィラー」と呼ばれる中継装置を設置し、多チャネル信号の振幅についてゲイン制御を行い多重化出力することが行われている。
【０００４】
図４は従来の中継装置に用いられている拡散信号多重処理装置の一例を示すブロック図である。拡散符号で拡散され２値化(0/1の2値)された互いに直交するI信号とＱ信号よりなる複数チャネルの拡散信号は、各チャネルの信号系統毎に設けられているマッピング部１，２に入力されて±1の重みの信号に変換される。マッピング部１，２の出力信号はそれぞれの信号系統に対応する乗算器よりなるゲイン付加部３，４に入力されて所定のゲイン付加処理が行われる。
【０００５】
これら各チャネル毎に重みづけおよびゲイン付加された全チャネルの拡散信号はI信号とＱ信号のそれぞれの信号系統に設けられた加算器よりなる多重処理部５，６に入力され、加算されて多重化される。これら多重処理部５，６の出力信号はそれぞれの信号系統に対応する乗算器よりなる実効値補正部７，８に入力され、所定のゲイン付加処理が行われた後、多重信号として出力される。
【０００６】
このような構成において、所望チャネルのOFF制御は、ゲイン付加部３，４で付加するゲインを０とすることで行う。多重信号の実効値レベル調整は、ゲイン付加部３，４における各チャネル毎のゲイン調整および実効値補正部７，８における多重後の信号ゲイン調整で行う。
【０００７】
すなわち、図４の装置では、
1)チャネル毎に入力データ(0/1の2値)を±1の重みの信号へ変換
2)チャネル毎にゲイン(OFFの場合はゲイン0)を付加し多ビット化
3)全チャネル分の信号を加算
4)加算後の信号にゲインを付加して実効値を調整
することで多重処理を行っている。
【０００８】
【特許文献１】
特開２００１−１２７７３４
【０００９】
特許文献１には、ＣＤＭＡ方式を用いた移動体通信システムにおける送信装置および送信方法に関する発明が開示されている。
【００１０】
【発明が解決しようとする課題】
しかし、図４の構成によれば、多数のチャネルを多重する場合に、ゲイン付加を各チャネルで行った(多ビット化した)後に加算を行うことから、多重処理部５，６の構成が複雑となるという問題がある。
【００１１】
また、多重信号の実効値レベル調整にあたり、多重後の信号の振幅を実効値補正部７，８で調整する方法では、より多ビットとなった信号を処理する必要があるため、実効値補正部７，８の構成が複雑になってしまう。
【００１２】
一方、ゲイン付加部３，４で各チャネルのゲインを調整する方法では、チャネル間のゲイン比を正確に制御するためにゲインの分解能を上げてより多ビット化する必要があり、ゲイン付加部３，４の構成が複雑になることは避けられない。
【００１３】
本発明は、これらの問題を解決するものであり、その目的は、簡単な回路構成の拡散信号多重処理方法および拡散信号多重処理装置を実現することにある。
【００１４】
【課題を解決するための手段】
このような目的を達成する請求項１の発明は、
拡散符号で拡散された互いに直交するI信号とＱ信号よりなる複数チャネルの拡散信号を所定のゲイン毎にグループ化して加算した後、所定の重みやゲインを有する信号に変換することを特徴とする拡散信号多重処理方法である。
【００１５】
請求項２の発明は、
拡散符号で拡散された互いに直交するI信号とＱ信号よりなる複数チャネルの拡散信号をチャネル毎に選択的にON/OFFするON/OFF制御部と、
これらON/OFF制御部の全チャネルのI信号とＱ信号のそれぞれの信号系統について所定のゲイン毎に加算多重化する部分多重処理部と、
これら部分多重処理部の出力信号に所定の重みづけを行うマッピング部と、
これらマッピング部の出力信号に所定の実効値補正処理を行う実効値補正部と、
これら実効値補正部の出力信号をI信号とＱ信号のそれぞれの信号系統毎に加算多重化する多重処理部、
とで構成されたことを特徴とする拡散信号多重処理装置である。
【００１６】
請求項３の発明は、請求項２記載の拡散信号多重処理装置において、
前記拡散信号は、２値化されたものであることを特徴とする。
【００１７】
請求項４の発明は、請求項２または請求項３記載の拡散信号多重処理装置において、
前記実効値補正部は、ON/OFFチャネル数に応じて波形歪を生じない適切な実効値に補正することを特徴とする。
【００１８】
請求項５の発明は、請求項２記載の拡散信号多重処理装置において、
前記部分多重処理部の加算結果に基づき、マッピング部と実効値補正部の出力を予め演算してテーブル化したことを特徴とする。
【００１９】
請求項６の発明は、請求項２記載の拡散信号多重処理装置において、
前記部分多重処理部の加算結果に基づき、マッピング部と実効値補正部および多重処理部の出力を予め演算してテーブル化したことを特徴とする。
【００２０】
請求項７の発明は、請求項２から請求項６のいずれかに記載の拡散信号多重処理装置において、
前記拡散信号は、モバイル放送の信号であることを特徴とする。
【００２１】
これらにより、比較的簡単な回路構成で、例えばモバイル放送における中継装置に好適な拡散信号多重処理方法および拡散信号多重処理装置を実現できる。
【００２２】
【発明の実施の形態】
以下、図面を用いて本発明の実施態様を説明する。
図１は本発明の拡散信号多重処理方法および拡散信号多重処理装置の基本原理構成を示すブロック図である。図１において、拡散符号で拡散され２値化(0/1の2値)された互いに直交するI信号とＱ信号よりなる複数チャネルの拡散信号は、各チャネル毎に設けられているON/OFF制御部を構成するアンドゲート９，１０に入力される。すなわち、I信号はアンドゲート９の一方の入力端子に入力され、Q信号はアンドゲート１０の一方の入力端子に入力され、これらアンドゲート９，１０の他方の入力端子にはON/OFF制御信号が入力される。
【００２３】
これらチャネル毎のON/OFF制御部を構成するアンドゲート９，１０の出力信号は、全チャネルのI信号とＱ信号のそれぞれの信号系統について所定のゲイン毎に設けられた加算器よりなる部分多重処理部１１〜１４に入力され、各信号系統について所定のゲイン毎に加算されて多重化される。
【００２４】
これら部分多重処理部１１〜１４の出力信号は、各信号系統について所定のゲイン毎に設けられているマッピング部１５〜１８に入力されて±1の重みの信号に変換される。
【００２５】
これらマッピング部１５〜１８の出力信号はそれぞれの信号系統に対応する乗算器よりなる実効値補正部１９〜２２に入力され、所定の実効値補正処理が行われる。なお実効値補正部１９〜２２は、例えばON/OFF制御部におけるON/OFFチャネル数に応じて波形歪を生じない範囲での最大値を適切な実効値とするように補正する。
【００２６】
これら実効値補正部１９〜２２の出力信号はI信号とＱ信号のそれぞれの信号系統に設けられた加算器よりなる多重処理部２３,２４に入力され、加算されて多重化される。
【００２７】
すなわち、図１の装置では、
1)各チャネルのI信号とＱ信号毎に入力データ(0/1の2値)とON/OFF設定(ONなら1,OFFなら0)との論理積演算
2)ゲイン設定が同じチャネル毎にグループに分けてデータ(0/1の2値)加算
3)ゲイングループ毎に加算結果を重みの信号へ変換
4)グループ毎に設定されたゲイン(実効値調整分のゲインも含む)を付加
5)全グループ分の信号を加算
することで多重処理を行う。
【００２８】
この手順変更により、部分多重処理部１１〜１４の加算結果は、Ｎチャネル分を加算してもlog2(Ｎ)ビットで表現できるようになる。
【００２９】
すなわち、図１のような構成によれば、ＣＤＭＡ方式によるモバイル放送のように多チャネルでありながら各チャネルのゲインは決められた値しか取らない場合に、各チャネルを独立して選択的にON/OFFし、チャネル間のゲイン比を正確に設定し、さらに出力の実効値レベルを任意に調整することを含む拡散信号の多重処理を行う拡散信号多重処理方法および拡散信号多重処理装置を、比較的簡単な回路構成で実現できる。
【００３０】
ここで、マッピング部１５〜１８と実効値補正部１９〜２２の処理は、個別チャネルの入力データの組み合わせが違っても、加算結果が同じであれば最終結果は同じになることから、図２のテーブル２５〜２８に示すように予め計算してテーブル化することができる。
【００３１】
図２のテーブル２５〜２８のサイズに着目すると、入力データの組み合わせに基づきテーブルを作成する場合にはＮチャネル分を処理するために２Nのサイズが必要となるが、加算結果からテーブルを作成すればＮのサイズで実現できるようになる。
【００３２】
例えば31チャネル分の入力データを処理する場合には、加算結果は0から31までの値しか取らないため、テーブル２５〜２８としては31のサイズがあれば全ての入力の組み合わせ(231種類)に対応できる。
【００３３】
このようなテーブル化にあたっては、図３に示すように、I信号とＱ信号のそれぞれの信号系統について図２の構成における多重処理部２３,２４の多重処理結果までをも含むテーブル２９,３０を設けるようにしてもよい。
【００３４】
図３の構成を、パイロットチャネルが1チャネルで放送チャネルの√2倍のパワーを有し、放送チャネルは最大31チャネルでチャネル個別にON/OFFが可能であるようなＣＤＭＡ方式によるモバイル放送に適用した場合には、64のサイズのテーブル２９,３０で、全ての入力の組み合わせについて多重まで含めた結果を処理することができる。
【００３５】
なお上記実施例では、ＣＤＭＡ方式によるモバイル放送に適用する場合について説明したが、モバイル放送に限るものではなく、ＣＤＭＡ方式による各種の移動通信システムにおける中継装置としても有効である。
【００３６】
【発明の効果】
以上説明したように、本発明によれば、比較的簡単な回路構成で、例えばモバイル放送における中継装置などに好適な拡散信号多重処理方法および拡散信号多重処理装置を実現できる。
【図面の簡単な説明】
【図１】本発明の基本原理構成を示すブロック図である。
【図２】本発明の実施態様の一例を示すブロック図である。
【図３】本発明の他の実施態様例を示すブロック図である。
【図４】本発明の他の実施態様例を示すブロック図である。
【符号の説明】
９，１０  アンドゲート（ON/OFF制御部）
１１〜１４  部分多重処理部
１５〜１８  マッピング部
１９〜２２  実効値補正部
２３,２４  多重処理部
２５〜３０  テーブル
【図１】
2004194053.tif 000003
【図２】
2004194053.tif 000004
【図３】
2004194053.tif 000005
【図４】
2004194053.tif 000006